(57)【要約】      （修正有）【課題】ライスや惣菜類等を挟んだ場合でも、これらに含まれる水分、汁気、油分等によって食感が損なわれ難いシュー皮、及びこのシュー皮を用いて、ライスや惣菜類等を手軽に食することのできる新規なシュー食品を提供する。【解決手段】少なくとも薄力粉、卵、水、油脂類を配合して成る生地に、更にサラダ油を配合して成るシュー生地を、成形及び焼成して得られるシュー皮である。また、当該シュー皮に、ライス及び／又は惣菜類を挟んで成るシュー食品である。【選択図】図１
0003114793.tif 000002
【実用新案登録請求の範囲】
【請求項１】
少なくとも薄力粉、卵、水、油脂類を配合して成る生地に、更にサラダ油を配合して成るシュー生地を、成形及び焼成することによって得られるシュー皮。
【請求項２】
前記サラダ油の配合量が、前記薄力粉１００重量部に対して４０〜６０重量部である請求項１に記載のシュー皮。
【請求項３】
前記薄力粉の一部が、コーンスターチで置換された請求項１又は請求項２に記載のシュー皮。
【請求項４】
前記コーンスターチの置換量が、前記薄力粉及び前記コーンスターチの全量１００重量部に対して１０〜２５重量部である請求項３に記載のシュー皮。
【請求項５】
前記薄力粉の一部が、強力粉で置換された請求項１又は請求項２に記載のシュー皮。
【請求項６】
前記強力粉の置換量が、前記薄力粉及び前記強力粉の全量１００重量部に対して１０〜２５重量部である請求項５に記載のシュー皮。
【請求項７】
寒天又はゼラチンを配合して成る請求項１乃至請求項６のいずれかに記載のシュー皮。
【請求項８】
前記寒天又はゼラチンの配合量が、前記シュー生地１００重量部に対して０．２〜０．４重量部である請求項７に記載のシュー皮。
【請求項９】
請求項１乃至請求項８のいずれかに記載のシュー皮に、ライス及び／又は惣菜類を挟んで成るシュー食品。
【請求項１０】
前記ライスに、前記惣菜類の味と相性の良い味付けが施された請求項９に記載のシュー食品。
【請求項１１】
前記味付けが、前記惣菜類に使用されるソースによって施された請求項１０に記載のシュー食品。
【考案の詳細な説明】
【技術分野】
【０００１】
本考案は、シュー皮及びこのシュー皮を用いたシュー食品に関する。
【背景技術】
【０００２】
従来、シュークリーム等のシュー菓子に使用されるシュー皮は、薄力粉、卵、水、油脂類及び調味料を混練して得られるシュー生地を、成形及び焼成することによって製造されている。
【０００３】
また、シュー皮を使った食品として、シュークリーム等のシュー菓子以外に、従来のシュー皮の内部にサラダや生野菜が充填された「シュー皮に包まれたサラダ」が開示されている（例えば、特許文献１参照。）。サラダや生野菜をシュー皮で包むことによって、素手でもって菓子感覚で、極めて簡単にサラダや生野菜を食することを可能としたものである。
【特許文献１】特開平８−８４５７５号公報（特許請求の範囲）
【考案の開示】
【考案が解決しようとする課題】
【０００４】
しかし、従来のシュー皮では、サラダや生野菜を包んだ際、これらに含まれる水分によってシュー皮が柔らかくなり、シュー皮本来の食感が損なわれてしまう。特に、調理後の時間の経過によって、この食感の変化はより顕著に現れる。
【０００５】
また、この食感の変化は、サラダや生野菜以外の食品をシュー皮で包んだ場合にも同様に現れる。シュー皮を使った食品としては、シュークリームに代表されるシュー菓子が殆どであるが、シュー菓子以外の食品、例えばライスや惣菜類等をシュー皮で挟んだ食品の場合には、ライスや惣菜類に含まれる水分、及びこれらから出る汁気や油分によって、シュー皮の食感が著しく損なわれてしまう。
【０００６】
そこで本考案は、ライスや惣菜類等を挟んだ場合でも、これらに含まれる水分、汁気、油分等によって食感が損なわれ難いシュー皮、及びこのシュー皮を用いて、ライスや惣菜類等を手軽に食することのできる新規なシュー食品を提供することを目的とする。
【課題を解決するための手段】
【０００７】
即ち、本考案の要旨とするところは、少なくとも薄力粉、卵、水、油脂類を配合して成る生地に、更にサラダ油を配合して成るシュー生地を、成形及び焼成することによって得られるシュー皮である。
【０００８】
かかるシュー皮において、前記サラダ油の配合量は、前記薄力粉１００重量部に対して４０〜６０重量部であることが好ましい。
【０００９】
かかるシュー皮において、前記薄力粉の一部が、コーンスターチで置換され得る。
【００１０】
かかるシュー皮において、前記コーンスターチの置換量は、前記薄力粉及び前記コーンスターチの全量１００重量部に対して１０〜２５重量部であることが好ましい。
【００１１】
かかるシュー皮において、前記薄力粉の一部が、強力粉で置換され得る。
【００１２】
かかるシュー皮において、前記強力粉の置換量は、前記薄力粉及び前記強力粉の全量１００重量部に対して１０〜２５重量部であることが好ましい。
【００１３】
かかるシュー皮において、更に寒天又はゼラチンが配合されて成ることが好ましい。
【００１４】
かかるシュー皮において、前記寒天又はゼラチンの配合量は、前記シュー生地１００重量部に対して０．２〜０．４重量部であることが好ましい。
【００１５】
また、本発明の別の要旨とするところは、前記シュー皮に、ライス及び／又は惣菜類を挟んで成るシュー食品であることにある。
【００１６】
かかるシュー食品において、前記ライスに、前記惣菜類の味と相性の良い味付けが施されることが好ましい。
【００１７】
かかるシュー食品において、前記味付けは、前記惣菜類に使用されるソースによって施され得る。
【考案の効果】
【００１８】
本考案に係るシュー生地中には、従来と違ってサラダ油が配合されているため、本考案に係るシュー生地を成形及び焼成することによって、従来品に比較して水分に強いシュー皮が得られる。従って、このシュー皮にライス及び／又は惣菜類を挟んだ場合であっても、これらに含まれる水分等によってシュー皮の食感が著しく変化することを最小限に抑えられる。
【００１９】
また、本考案に係るシュー生地に含まれる薄力粉の一部を、コーンスターチで置換することによって、このシュー生地を焼成した際、非常にサクサクとした軽い食感のシュー皮が得られる。当該シュー皮を、本考案のシュー食品のうち、ライス及び／又は柔らかい食感の惣菜類を挟んで成るシュー食品に使用することによって、シュー皮の食感と、ライス及び／又は惣菜類の食感とを近似させることができる。即ち、当該シュー皮によると、ライス及び／又は柔らかい食感の惣菜類を挟んで成るシュー食品において、特に好適に使用し得る。
【００２０】
一方、本考案に係るシュー生地に含まれる薄力粉の一部を、強力粉で置換することによって、このシュー生地を焼成した際、粘り強く、比較的堅い食感のシュー皮が得られる。当該シュー皮を、本考案のシュー食品のうち、ライスと堅い食感の惣菜類、或いは堅い食感の惣菜類のみを挟んで成るシュー食品に使用することによって、シュー皮の食感と、惣菜類の食感とを近似させることができる。即ち、当該シュー皮によると、堅い食感の惣菜類を挟んで成るシュー食品において、特に好適に使用し得る。
【００２１】
更に、寒天又はゼラチンが配合された本考案に係るシュー生地によると、当該シュー生地を焼成した際に、より水分に強いシュー皮が得られる。従って、本考案のシュー食品に当該シュー皮を使用することによって、シュー皮本来の食感は更に損なわれ難くなる。
【００２２】
また、これらのシュー生地を成形及び焼成して得られる本考案のシュー皮に、ライス及び／又は惣菜類が挟まれた本考案のシュー食品によると、ライス及び／又は惣菜類を、手に持って手軽に食することができる。
【００２３】
更に、本考案のシュー食品に係るライスに、惣菜類の味と相性の良い味付けが施されることによって、更に美味なるシュー食品が得られる。
【考案を実施するための最良の形態】
【００２４】
以下、本考案のシュー皮及びシュー食品について、その好ましい実施形態を説明するが、本考案の実施形態は以下に示したものに限定されない。
【００２５】
本考案のシュー皮に係るシュー生地は、従来の生地、即ち少なくとも薄力粉、卵、水、油脂類を配合して成る生地中に、サラダ油を配合して成るものであり、このシュー生地を成形及び焼成することによって本考案のシュー皮が得られる。また、本考案のシュー食品は、本考案のシュー皮に、ライス及び／又は惣菜類を挟んで成る食品である。
【００２６】
まず、本考案のシュー皮の実施形態について詳述する。本実施形態に係るシュー生地は、上記の通り、少なくとも薄力粉、卵、水、油脂類を配合して成る生地中に、サラダ油を配合して成るシュー生地（以下、当該シュー生地を「基本シュー生地」という。）を、成形及び焼成して得られるシュー皮である。ここで、生地中に配合される油脂類としては、バター、マーガリン、ショートニング、ラード等が挙げられるが、基本シュー生地においては、バターの使用が好ましい。また、基本シュー生地に係る油脂類の配合量は、薄力粉１００重量部に対して、４０〜６０重量部であることが好ましい。油脂類の配合量を４０重量部未満にすると、基本シュー生地の粘度が高くなり過ぎて成形時の作業性が著しく悪化すると共に、焼成の際、十分に膨張しなくなるおそれがある。一方、６０重量部を越えると、基本シュー生地の粘度が低くなり過ぎて成形時の作業性が悪化すると共に、基本シュー生地を焼成して得られるシュー皮の食感が必要以上に柔らかくなり過ぎる。
【００２７】
生地中におけるその他の原料は特に限定されず、薄力粉、卵については市販のものを使用し得る。本考案に係る卵の配合量については、薄力粉１００重量部に対して、２１０〜２５０重量部とするのが好ましく、特に好ましいのは２２０〜２４０重量部である。卵の配合量が２１０〜２５０重量部の範囲内にない場合には、上記の油脂類の場合と同様の問題が発生する恐れがある。
【００２８】
また、本考案に係る水についても特に限定されず、天然水、水道水等を使用することができる。水の配合量については、薄力粉１００重量部に対して、１３０〜１７０重量部とするのが好ましく、特に好ましいのは１４０〜１６０重量部である。水の配合量が１３０〜１７０重量部の範囲内にない場合には、上記の油脂類、卵の場合と同様、作業性が非常に悪化すると共に、焼き上げた際には、必要以上に堅い、或いは柔らかいシュー皮となる恐れがある。
【００２９】
本実施形態に係る基本シュー生地は、これらの原料、即ち薄力粉、卵、水、油脂類を、上記の配合量で配合した生地中に、更にサラダ油を配合して作られる。生地中にサラダ油を配合することによって、この得られた基本シュー生地を成形及び焼成した際、従来の生地を焼き上げて得られるシュー皮に比較して、水分に強いシュー皮が得られる。従って、このシュー皮にライス及び／又は惣菜類を挟んだ場合であっても、これらに含まれる水分や、これらから出る汁気、油分等によるシュー皮の食感の変化を最小限に抑えることができる。サラダ油としては、市販のものが使用でき、特に限定されない。サラダ油の配合量については、薄力粉１００重量部に対して、４０〜６０重量部であることが好ましい。サラダ油の配合量が４０重量部未満では、水分によるシュー皮の食感の変化を十分に抑えることができず、６０重量部を超えると、基本シュー生地の粘度が低くなり過ぎて、成形時における作業性の著しい悪化を招くこととなる。
【００３０】
以上のように、本実施形態に係る基本シュー生地にはサラダ油が配合されているため、この基本シュー生地を成形及び焼成することによって、水分に強いシュー皮が得られる。従って、基本シュー生地から得られたシュー皮は、ライス及び／又は惣菜類を挟んで成る本考案のシュー食品において、特に好適に使用し得るものであるが、本考案のシュー皮は本実施形態に限定されない。
【００３１】
本考案のシュー皮の他の実施形態としては、例えば、上記実施形態の基本シュー生地に係る薄力粉の一部が、コーンスターチで置換されたシュー生地（以下、コーンスターチが配合されたシュー生地を「コーンスターチ入りシュー生地」という。）を、成形及び焼成することによって得られるものであっても良い。基本シュー生地の原料である薄力粉の一部を、コーンスターチで置換することによって、焼成した際、非常にサクサクとした軽い食感のシュー皮が得られる。従って、このシュー皮に、ライス及び／又は柔らかい食感の惣菜類を挟んだ場合には、シュー皮の食感と、ライス及び／又は惣菜類の食感とを近似させることができるため、違和感なく食することのできるシュー食品が得られる。コーンスターチの配合量については、薄力粉及びコーンスターチの全量１００重量部に対して、１０〜２５重量部とすることが好ましく、特に好ましいのは、１５〜２０重量部である。コーンスターチの配合量が１０重量部未満では、サクサクとした軽い食感のシュー皮が得られ難く、一方２５重量部を超えると、食感が軽くなり過ぎるため、シュー食品に使用するシュー皮としては不向きとなる。
【００３２】
このように、コーンスターチ入りシュー生地によると、焼成した際にサクサクとした軽い食感のシュー皮が得られ、ライス及び／又は柔らかい食感の惣菜類を挟んで成るシュー食品において、特に好適に使用し得る。しかし、この軽い食感のシュー皮に、ライスと共に堅い食感の惣菜類を挟んで成るシュー食品や、堅い食感の惣菜類のみを挟んで成るシュー食品においては、シュー皮と惣菜類との食感の違いに違和感が生じ、必ずしも好ましいとは言えない。
【００３３】
そこで、堅い食感の惣菜類を挟んで成るシュー食品に好適に使用し得るシュー皮を得るために、本考案のシュー皮の更に他の実施形態として、基本シュー生地に係る薄力粉の一部が、強力粉で置換されたシュー生地（以下、強力粉が配合されたシュー生地を「強力粉入りシュー生地」という。）を、成形及び焼成して得られるシュー皮であることが好ましい。基本シュー生地に係る薄力粉の一部を強力粉で置換することによって、焼成した際には、粘り強く、比較的堅い食感のシュー皮が得られる。従って、このシュー皮に、ライス及び堅い食感の惣菜類を挟んだ場合、或いは堅い食感の惣菜類のみを挟んだ場合には、シュー皮の食感と、惣菜類の食感とを近似させることができるため、違和感なく食することのできるシュー食品が得られる。強力粉の配合量については、薄力粉及び強力粉の全量１００重量部に対して、１０〜２５重量部とすることが好ましく、特に好ましいのは、１５〜２０重量部である。強力粉の配合量が１０重量部未満では、堅い食感の惣菜類を挟むのに適した堅さを備えたシュー皮が得られ難く、一方２５重量部を超えると、食感が堅くなり過ぎるため、シュー食品に使用するシュー皮としては不向きとなる。
【００３４】
以上、本考案のシュー皮の種々の実施形態について詳述したが、上記の各実施形態に係るシュー生地には、更に寒天又はゼラチンが配合されても良い（以下、寒天等が配合されたシュー生地を「寒天等配合（基本・コーンスターチ入り・強力粉入り）シュー生地」という。）。各実施形態に係るシュー生地に寒天又はゼラチンを配合することによって、焼成した際、各実施形態に係るシュー生地を焼成して得られるシュー皮に比較して、更に水分に強いシュー皮が得られる。つまり、このシュー皮を本考案のシュー食品に使用した場合には、シュー食品に係るライス及び／又は惣菜類に含まれる水分等によるシュー皮の食感の変化を、更に抑制することができる。寒天又はゼラチンの配合量は、上記の各実施形態に係るシュー生地１００重量部に対して０．２〜０．４重量部とすることが好ましい。これらのシュー生地中における寒天又はゼラチンの配合量が０．２重量部未満であると、寒天又はゼラチンによる効果、即ち水分によるシュー皮の食感の変化を抑制する効果が十分に発揮されず、０．４重量部を超えると、寒天等配合シュー生地の成形時における作業性が悪化すると共に、このシュー生地を焼成して得られるシュー皮の風味が著しく損なわれる。
【００３５】
次に、本考案のシュー食品の実施形態について以下に説明する。本考案のシュー食品は、上記の各実施形態に係るシュー生地を成形及び焼成することによって得られたシュー皮に、ライス及び／又は惣菜類を挟んで成る。例えば、図１に示したシュー食品１０は、図２に示したように、シュー皮１２に、ライス１３と、惣菜類１４としてオムレツ１４ａ及びレタス１４ｂが挟まれて成る。
【００３６】
このように、本考案のシュー食品は、本考案のシュー皮でライス及び／又は惣菜類が挟まれて成るため、ライス及び／又は惣菜類、つまり上記実施形態のシュー食品１０におけるライス１３及び惣菜類１４（オムレツ１４ａ及びレタス１４ｂ）を、手に持って手軽に食することができる。特に、シュー食品１０は、ライス１３及び惣菜類１４を同時に食べることができるため、従来のように、おにぎりとおかずを別々に食べなければならないといった煩わしさもなく、片手で持って、手を汚すことなく食べることができる、
【００３７】
ここで、シュー食品１０に係るライス１３には、オムレツ１４ａの味と相性の良い味付けが施されることが好ましい。例えば、ライス１３にウスターソースやケチャップで味付けを施すことによって、更に美味なるシュー食品１０が得られる。
【００３８】
また、シュー食品１０に係るシュー皮１２には、本考案のシュー皮の実施形態のうち、コーンスターチ入りシュー生地、或いは寒天等配合コーンスターチ入りシュー生地を焼成して成るシュー皮を使用することが好ましい。これらのシュー生地から得られるシュー皮を使用することによって、オムレツ１４ａの柔らかい食感と、シュー皮１２の食感とを近似させることができるため、シュー食品１０を食する際に違和感が少なく、非常に食べ易くなる。
【００３９】
以上、本考案の実施形態に係るシュー食品１０について説明したが、本考案のシュー食品は、本実施形態に限定されるものではない。例えば、本考案のシュー食品に係る惣菜類としては、図に示したオムレツ等の他、肉類として焼肉、コロッケ、ハンバーグ、ソーセージ、焼き鳥、焼き豚、煮物等、魚類として焼き魚、刺身、フライ、天ぷら等、野菜類として生野菜、煮物、漬け物類等が挙げられる。即ち、本考案のシュー食品に係る惣菜類は特に限定されず、例示した惣菜類等を１種又は２種以上を組み合わせて、本考案のシュー食品に使用することができる。
【００４０】
また、図に示したシュー食品１０では、惣菜類１４と共にライス１３が挟まれているため、ライス及び惣菜類を同時に食べることができる点で特に好ましいが、本考案のシュー食品はライス及び惣菜類を一緒に挟んだ実施形態に限定されず、ライスのみ、或いは惣菜類のみをシュー皮で挟んだシュー食品であっても良い。
【００４１】
更に、シュー食品１０では、ライス１３にオムレツ１４ａ（惣菜類１４）の味と相性の良い味付け、即ちウスターソースやケチャップによる味付けが施されているため、更に美味なるシュー食品１０が得られる。このような味付けの他の実施形態としては、例えば惣菜類として牛ステーキを挟む場合にはステーキソース、エビフライにはタルタルソース、トンカツにはトンカツソース、ハンバーグにはデミグラスソース等が挙げられる。このように、惣菜類と共に挟まれるライス、或いは惣菜類のみを挟んだシュー食品と一緒に食べられるライスのみを挟んだシュー食品に係るライスに、これらの惣菜類を通常食べる際に使用されるソースによって味付けを施すことによって、ライスと惣菜類の相性が非常に良くなり、より美味なるシュー食品が得られる。また更に、中華風の惣菜類を挟んで成るシュー食品の場合には、ライスとしてチャーハンを挟むことによって、惣菜類との相性は更に良くなる。
【００４２】
また、シュー食品１０では、惣菜類１４が柔らかい食感のオムレツ１４ａであるため、コーンスターチ入りシュー生地及び寒天等配合コーンスターチ入りシュー生地を、成形及び焼成して得られるシュー皮が好適に使用され得るが、他の惣菜類を挟んで成るシュー食品の場合には、惣菜類の食感に合わせて、上記の各実施形態に係るシュー生地から任意に選択して得られるシュー皮が使用され得る。例えば、肉類のような比較的堅い食感の惣菜類を挟む場合には、強力粉入りシュー生地又は寒天等配合強力粉入りシュー生地を焼成して得られるシュー皮が好適に使用され得る。また、堅くも柔らかくもない食感の惣菜類、例えば、魚類のフライ等を挟む場合には、基本シュー生地、或いは寒天等配合基本シュー生地から得られるシュー皮が好適に使用され得る。更に、各実施形態に係るシュー皮のうちから、寒天等が配合されたシュー生地を焼成して得られるシュー皮を選択するか否かは、ライスや惣菜類に含まれる水分量、惣菜類から出る汁気や油分の量、ライス等の味付けに使用されるソース量等が考慮される。
【００４３】
以上、本考案のシュー皮及びシュー食品の種々の実施形態について説明したが、本考案はその趣旨を逸脱しない範囲で、当業者の知識に基づき種々の改良、修正、変形を加えた態様で実施し得るものである。
【００４４】
例えば、本考案に係るシュー生地には、塩、グラニュー糖等の調味料が必要に応じて添加されてもよく、また、使用される水の一部を牛乳で置換しても良い。
【００４５】
以下に、本考案のシュー皮及びシュー食品の実施例を示して、本考案の実施形態をより詳述するが、本考案はこれらの実施例に限定されるものではない。
【実施例１】
【００４６】
薄力粉：３００重量部、卵：６９０重量部、水：４５０重量部、バター：１５０重量部、サラダ油：１５０重量部を、通常のシュー生地の製造方法により配合することによって、基本シュー生地が得られた。具体的には、鍋に水、バター、サラダ油を入れて火にかけ、バターが溶けたら一旦火から下ろし、薄力粉を入れて混練する。再び加熱しながら混練した後、火から下ろして卵を少量ずつ加えながら混練する。
【００４７】
このようにして得られた基本シュー生地を天板上に搾って霧吹きをし、約２００℃のオーブンで焼成することによって、本考案のシュー皮１が得られた。このシュー皮１に、エビフライ及びタルタルソースで味付けされたライスを挟むことによって、本考案のシュー食品１が得られた。
【００４８】
本考案のシュー食品１は、エビフライ及びライスを同時に、しかも片手で持って手軽に食べることができた。また、エビフライとシュー皮１の食感も近似しており、違和感なく食べられる共に、エビフライとライスの味の相性も良く、非常に美味なるシュー食品１が得られた。更に、時間の経過に伴うシュー皮１の食感の変化も殆ど無かった。
【実施例２】
【００４９】
薄力粉：２５０重量部、コーンスターチ：５０重量部、卵：６９０重量部、水：４５０重量部、バター：１５０重量部、サラダ油：１５０重量部を、実施例１と同様の製造方法により配合することによって、コーンスターチ入りシュー生地が得られた。ここで、コーンスターチを配合する時期としては、水、バター、サラダ油を熱した中に薄力粉を入れる際、薄力粉と同時に配合することが好ましい。
【００５０】
このようにして得られたコーンスターチ入りシュー生地を、実施例１と同様の方法で成形及び焼成することによって、本考案のシュー皮２が得られ、このシュー皮２に、オムレツ及びウスターソースで味付けされたライスを挟むことによって、本考案のシュー食品１０（図１参照）が得られた。
【００５１】
本考案のシュー食品１０は、オムレツ及びライスを同時に、しかも片手で持って手軽に食べることができた。また、オムレツとシュー皮２の食感も近似しており、違和感なく食べられる共に、オムレツとライスの味の相性も良く、非常に美味なるシュー食品１０が得られた。更に、時間の経過に伴うシュー皮２の食感の変化も殆ど無かった。
【実施例３】
【００５２】
薄力粉：２５０重量部、強力粉：５０重量部、卵：６９０重量部、水：４５０重量部、バター：１５０重量部、サラダ油：１５０重量部を、実施例１と同様の製造方法により配合することによって、強力粉入りシュー生地が得られた。ここで、強力粉を配合する時期としては、水、バター、サラダ油を熱した中に薄力粉を入れる際、薄力粉と同時に配合することが好ましい。
【００５３】
このようにして得られた強力粉入りシュー生地を、実施例１と同様の方法で成形及び焼成することによって、本考案のシュー皮３が得られ、このシュー皮３に、牛ステーキ及びステーキソースで味付けされたライスを挟むことによって、本考案のシュー食品３が得られた。
【００５４】
本考案のシュー食品３は、牛ステーキ及びライスを同時に、しかも片手で持って手軽に食べることができた。また、牛ステーキとシュー皮３の食感も近似しており、違和感なく食べられる共に、牛ステーキとライスの味の相性も良く、非常に美味なるシュー食品３が得られた。更に、時間の経過に伴うシュー皮３の食感の変化も殆ど無かった。
【実施例４】
【００５５】
実施例３と同種・同量の原料、及び寒天（粉末寒天）：５重量部を、実施例１と同様の製造方法により配合することによって、寒天配合強力粉入りシュー生地が得られた。ここで、寒天を配合する時期としては、水、バター、サラダ油を熱した中に薄力粉を入れる際、薄力粉と同時に配合することが好ましい。
【００５６】
このようにして得られた寒天配合強力粉入りシュー生地を、実施例１と同様の方法で成形及び焼成することによって、本考案のシュー皮４が得られ、このシュー皮４に、ハンバーグ及びデミグラスソースで味付けされたライスを挟むことによって、本考案のシュー食品４が得られた。
【００５７】
本考案のシュー食品４は、ハンバーグ及びライスを同時に、しかも片手で持って手軽に食べることができた。また、ハンバーグとシュー皮４の食感も近似しており、違和感なく食べられる共に、ハンバーグとライスの味の相性も良く、非常に美味なるシュー食品４が得られた。更に、時間の経過に伴うシュー皮４の食感の変化も殆ど無かった。
【００５８】
また、実施例３に係るシュー皮３に、ハンバーグ及びライスを挟んで得られたシュー食品５と、上記シュー食品４とを比較すると、シュー食品４に係るシュー皮４の食感の変化が更に抑えられることが確認できた。
【図面の簡単な説明】
【００５９】
【図１】本考案のシュー食品の一態様を示す斜視図である。
【図２】図１に示したシュー食品の分解斜視図である。
【符号の説明】
【００６０】
１０：シュー食品
１２：シュー皮
１３：ライス
１４：惣菜類
【図１】
0003114793.tif 000003
【図２】
0003114793.tif 000004
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも薄力粉、卵、水、油脂類を配合して成る生地に、更にサラダ油を配合して成るシュー生地を成形及び焼成することによって得られるシュー皮に、ライス及び惣菜類の少なくとも１つを挟んで成るシュー食品。
【請求項２】
前記サラダ油の配合量が、前記薄力粉１００重量部に対して４０〜６０重量部である請求項１に記載のシュー食品。
【請求項３】
前記薄力粉の一部が、コーンスターチで置換された請求項１又は請求項２に記載のシュー食品。
【請求項４】
前記コーンスターチの置換量が、前記薄力粉及び前記コーンスターチの全量１００重量部に対して１０〜２５重量部である請求項３に記載のシュー食品。
【請求項５】
前記薄力粉の一部が、強力粉で置換された請求項１又は請求項２に記載のシュー食品。
【請求項６】
前記強力粉の置換量が、前記薄力粉及び前記強力粉の全量１００重量部に対して１０〜２５重量部である請求項５に記載のシュー食品。
【請求項７】
寒天又はゼラチンを配合して成る請求項１乃至請求項６のいずれかに記載のシュー食品。
【請求項８】
前記寒天又はゼラチンの配合量が、前記シュー生地１００重量部に対して０．２〜０．４重量部である請求項７に記載のシュー食品。
【請求項９】
前記ライスに、前記惣菜類の味と相性の良い味付けが施された請求項１乃至請求項８のいずれかに記載のシュー食品。
【請求項１０】
前記味付けが、前記惣菜類に使用されるソースによって施された請求項９に記載のシュー食品。
【手続補正２】
【補正対象書類名】明細書
【補正対象項目名】全文
【補正方法】変更
【補正の内容】
【考案の詳細な説明】
【技術分野】
【０００１】
本考案は、シュー皮を用いたシュー食品に関する。
【背景技術】
【０００２】
従来、シュークリーム等のシュー菓子に使用されるシュー皮は、薄力粉、卵、水、油脂類及び調味料を混練して得られるシュー生地を、成形及び焼成することによって製造されている。
【０００３】
また、シュー皮を使った食品として、シュークリーム等のシュー菓子以外に、従来のシュー皮の内部にサラダや生野菜が充填された「シュー皮に包まれたサラダ」が開示されている（例えば、特許文献１参照。）。サラダや生野菜をシュー皮で包むことによって、素手でもって菓子感覚で、極めて簡単にサラダや生野菜を食することを可能としたものである。
【特許文献１】特開平８−８４５７５号公報（特許請求の範囲）
【考案の開示】
【考案が解決しようとする課題】
【０００４】
しかし、従来のシュー皮では、サラダや生野菜を包んだ際、これらに含まれる水分によってシュー皮が柔らかくなり、シュー皮本来の食感が損なわれてしまう。特に、調理後の時間の経過によって、この食感の変化はより顕著に現れる。
【０００５】
また、この食感の変化は、サラダや生野菜以外の食品をシュー皮で包んだ場合にも同様に現れる。シュー皮を使った食品としては、シュークリームに代表されるシュー菓子が殆どであるが、シュー菓子以外の食品、例えばライスや惣菜類等をシュー皮で挟んだ食品の場合には、ライスや惣菜類に含まれる水分、及びこれらから出る汁気や油分によって、シュー皮の食感が著しく損なわれてしまう。
【０００６】
そこで本考案は、ライスや惣菜類等を挟んだ場合でも、これらに含まれる水分、汁気、油分等によって食感が損なわれ難いシュー皮を用いて、ライスや惣菜類等を手軽に食することのできる新規なシュー食品を提供することを目的とする。
【課題を解決するための手段】
【０００７】
即ち、本考案の要旨とするところは、少なくとも薄力粉、卵、水、油脂類を配合して成る生地に、更にサラダ油を配合して成るシュー生地を成形及び焼成することによって得られるシュー皮に、ライス及び惣菜類の少なくとも１つを挟んで成るシュー食品である。
【０００８】
かかるシュー食品において、前記サラダ油の配合量は、前記薄力粉１００重量部に対して４０〜６０重量部であることが好ましい。
【０００９】
かかるシュー食品において、前記薄力粉の一部が、コーンスターチで置換され得る。
【００１０】
かかるシュー食品において、前記コーンスターチの置換量は、前記薄力粉及び前記コーンスターチの全量１００重量部に対して１０〜２５重量部であることが好ましい。
【００１１】
かかるシュー食品において、前記薄力粉の一部が、強力粉で置換され得る。
【００１２】
かかるシュー食品において、前記強力粉の置換量は、前記薄力粉及び前記強力粉の全量１００重量部に対して１０〜２５重量部であることが好ましい。
【００１３】
かかるシュー食品において、更に寒天又はゼラチンが配合されて成ることが好ましい。
【００１４】
かかるシュー食品において、前記寒天又はゼラチンの配合量は、前記シュー生地１００重量部に対して０．２〜０．４重量部であることが好ましい。
【００１５】
かかるシュー食品において、前記ライスに、前記惣菜類の味と相性の良い味付けが施されることが好ましい。
【００１６】
かかるシュー食品において、前記味付けは、前記惣菜類に使用されるソースによって施され得る。
【考案の効果】
【００１７】
本考案に係るシュー生地中には、従来と違ってサラダ油が配合されているため、本考案に係るシュー生地を成形及び焼成することによって、従来品に比較して水分に強いシュー皮が得られる。従って、このシュー皮にライス及び／又は惣菜類を挟んだ場合であっても、これらに含まれる水分等によってシュー皮の食感が著しく変化することを最小限に抑えられる。
【００１８】
また、本考案に係るシュー生地に含まれる薄力粉の一部を、コーンスターチで置換することによって、このシュー生地を焼成した際、非常にサクサクとした軽い食感のシュー皮が得られる。当該シュー皮を、本考案のシュー食品のうち、ライス及び／又は柔らかい食感の惣菜類を挟んで成るシュー食品に使用することによって、シュー皮の食感と、ライス及び／又は惣菜類の食感とを近似させることができる。即ち、当該シュー皮によると、ライス及び／又は柔らかい食感の惣菜類を挟んで成るシュー食品において、特に好適に使用し得る。
【００１９】
一方、本考案に係るシュー生地に含まれる薄力粉の一部を、強力粉で置換することによって、このシュー生地を焼成した際、粘り強く、比較的堅い食感のシュー皮が得られる。当該シュー皮を、本考案のシュー食品のうち、ライスと堅い食感の惣菜類、或いは堅い食感の惣菜類のみを挟んで成るシュー食品に使用することによって、シュー皮の食感と、惣菜類の食感とを近似させることができる。即ち、当該シュー皮によると、堅い食感の惣菜類を挟んで成るシュー食品において、特に好適に使用し得る。
【００２０】
更に、寒天又はゼラチンが配合された本考案に係るシュー生地によると、当該シュー生地を焼成した際に、より水分に強いシュー皮が得られる。従って、本考案のシュー食品に当該シュー皮を使用することによって、シュー皮本来の食感は更に損なわれ難くなる。
【００２１】
また、これらのシュー生地を成形及び焼成して得られる本考案のシュー皮に、ライス及び／又は惣菜類が挟まれた本考案のシュー食品によると、ライス及び／又は惣菜類を、手に持って手軽に食することができる。
【００２２】
更に、本考案のシュー食品に係るライスに、惣菜類の味と相性の良い味付けが施されることによって、更に美味なるシュー食品が得られる。
【考案を実施するための最良の形態】
【００２３】
以下、本考案のシュー食品について、その好ましい実施形態を説明するが、本考案の実施形態は以下に示したものに限定されない。
【００２４】
本考案に係るシュー皮は、従来の生地、即ち少なくとも薄力粉、卵、水、油脂類を配合して成る生地中に、サラダ油を配合して成るシュー生地を成形及び焼成することによって得られる。そして、本考案のシュー食品は、本考案に係るシュー皮に、ライス及び／又は惣菜類を挟んで成る食品である。
【００２５】
まず、本考案に係るシュー皮の実施形態について詳述する。本実施形態に係るシュー生地は、上記の通り、少なくとも薄力粉、卵、水、油脂類を配合して成る生地中に、サラダ油を配合して成るシュー生地（以下、当該シュー生地を「基本シュー生地」という。）を、成形及び焼成して得られるシュー皮である。ここで、生地中に配合される油脂類としては、バター、マーガリン、ショートニング、ラード等が挙げられるが、基本シュー生地においては、バターの使用が好ましい。また、基本シュー生地に係る油脂類の配合量は、薄力粉１００重量部に対して、４０〜６０重量部であることが好ましい。油脂類の配合量を４０重量部未満にすると、基本シュー生地の粘度が高くなり過ぎて成形時の作業性が著しく悪化すると共に、焼成の際、十分に膨張しなくなるおそれがある。一方、６０重量部を越えると、基本シュー生地の粘度が低くなり過ぎて成形時の作業性が悪化すると共に、基本シュー生地を焼成して得られるシュー皮の食感が必要以上に柔らかくなり過ぎる。
【００２６】
生地中におけるその他の原料は特に限定されず、薄力粉、卵については市販のものを使用し得る。本考案に係る卵の配合量については、薄力粉１００重量部に対して、２１０〜２５０重量部とするのが好ましく、特に好ましいのは２２０〜２４０重量部である。卵の配合量が２１０〜２５０重量部の範囲内にない場合には、上記の油脂類の場合と同様の問題が発生する恐れがある。
【００２７】
また、本考案に係る水についても特に限定されず、天然水、水道水等を使用することができる。水の配合量については、薄力粉１００重量部に対して、１３０〜１７０重量部とするのが好ましく、特に好ましいのは１４０〜１６０重量部である。水の配合量が１３０〜１７０重量部の範囲内にない場合には、上記の油脂類、卵の場合と同様、作業性が非常に悪化すると共に、焼き上げた際には、必要以上に堅い、或いは柔らかいシュー皮となる恐れがある。
【００２８】
本実施形態に係る基本シュー生地は、これらの原料、即ち薄力粉、卵、水、油脂類を、上記の配合量で配合した生地中に、更にサラダ油を配合して作られる。生地中にサラダ油を配合することによって、この得られた基本シュー生地を成形及び焼成した際、従来の生地を焼き上げて得られるシュー皮に比較して、水分に強いシュー皮が得られる。従って、このシュー皮にライス及び／又は惣菜類を挟んだ場合であっても、これらに含まれる水分や、これらから出る汁気、油分等によるシュー皮の食感の変化を最小限に抑えることができる。サラダ油としては、市販のものが使用でき、特に限定されない。サラダ油の配合量については、薄力粉１００重量部に対して、４０〜６０重量部であることが好ましい。サラダ油の配合量が４０重量部未満では、水分によるシュー皮の食感の変化を十分に抑えることができず、６０重量部を超えると、基本シュー生地の粘度が低くなり過ぎて、成形時における作業性の著しい悪化を招くこととなる。
【００２９】
以上のように、本実施形態に係る基本シュー生地にはサラダ油が配合されているため、この基本シュー生地を成形及び焼成することによって、水分に強いシュー皮が得られる。従って、基本シュー生地から得られたシュー皮は、ライス及び／又は惣菜類を挟んで成る本考案のシュー食品において、特に好適に使用し得るものであるが、本考案に係るシュー皮は本実施形態に限定されない。
【００３０】
本考案に係るシュー皮の他の実施形態としては、例えば、上記実施形態の基本シュー生地に係る薄力粉の一部が、コーンスターチで置換されたシュー生地（以下、コーンスターチが配合されたシュー生地を「コーンスターチ入りシュー生地」という。）を、成形及び焼成することによって得られるものであっても良い。基本シュー生地の原料である薄力粉の一部を、コーンスターチで置換することによって、焼成した際、非常にサクサクとした軽い食感のシュー皮が得られる。従って、このシュー皮に、ライス及び／又は柔らかい食感の惣菜類を挟んだ場合には、シュー皮の食感と、ライス及び／又は惣菜類の食感とを近似させることができるため、違和感なく食することのできるシュー食品が得られる。コーンスターチの配合量については、薄力粉及びコーンスターチの全量１００重量部に対して、１０〜２５重量部とすることが好ましく、特に好ましいのは、１５〜２０重量部である。コーンスターチの配合量が１０重量部未満では、サクサクとした軽い食感のシュー皮が得られ難く、一方２５重量部を超えると、食感が軽くなり過ぎるため、シュー食品に使用するシュー皮としては不向きとなる。
【００３１】
このように、コーンスターチ入りシュー生地によると、焼成した際にサクサクとした軽い食感のシュー皮が得られ、ライス及び／又は柔らかい食感の惣菜類を挟んで成るシュー食品において、特に好適に使用し得る。しかし、この軽い食感のシュー皮に、ライスと共に堅い食感の惣菜類を挟んで成るシュー食品や、堅い食感の惣菜類のみを挟んで成るシュー食品においては、シュー皮と惣菜類との食感の違いに違和感が生じ、必ずしも好ましいとは言えない。
【００３２】
そこで、堅い食感の惣菜類を挟んで成るシュー食品に好適に使用し得るシュー皮を得るために、本考案に係るシュー皮の更に他の実施形態として、基本シュー生地に係る薄力粉の一部が、強力粉で置換されたシュー生地（以下、強力粉が配合されたシュー生地を「強力粉入りシュー生地」という。）を、成形及び焼成して得られるシュー皮であることが好ましい。基本シュー生地に係る薄力粉の一部を強力粉で置換することによって、焼成した際には、粘り強く、比較的堅い食感のシュー皮が得られる。従って、このシュー皮に、ライス及び堅い食感の惣菜類を挟んだ場合、或いは堅い食感の惣菜類のみを挟んだ場合には、シュー皮の食感と、惣菜類の食感とを近似させることができるため、違和感なく食することのできるシュー食品が得られる。強力粉の配合量については、薄力粉及び強力粉の全量１００重量部に対して、１０〜２５重量部とすることが好ましく、特に好ましいのは、１５〜２０重量部である。強力粉の配合量が１０重量部未満では、堅い食感の惣菜類を挟むのに適した堅さを備えたシュー皮が得られ難く、一方２５重量部を超えると、食感が堅くなり過ぎるため、シュー食品に使用するシュー皮としては不向きとなる。
【００３３】
以上、本考案に係るシュー皮の種々の実施形態について詳述したが、上記の各実施形態に係るシュー生地には、更に寒天又はゼラチンが配合されても良い（以下、寒天等が配合されたシュー生地を「寒天等配合（基本・コーンスターチ入り・強力粉入り）シュー生地」という。）。各実施形態に係るシュー生地に寒天又はゼラチンを配合することによって、焼成した際、各実施形態に係るシュー生地を焼成して得られるシュー皮に比較して、更に水分に強いシュー皮が得られる。つまり、このシュー皮を本考案のシュー食品に使用した場合には、シュー食品に係るライス及び／又は惣菜類に含まれる水分等によるシュー皮の食感の変化を、更に抑制することができる。寒天又はゼラチンの配合量は、上記の各実施形態に係るシュー生地１００重量部に対して０．２〜０．４重量部とすることが好ましい。これらのシュー生地中における寒天又はゼラチンの配合量が０．２重量部未満であると、寒天又はゼラチンによる効果、即ち水分によるシュー皮の食感の変化を抑制する効果が十分に発揮されず、０．４重量部を超えると、寒天等配合シュー生地の成形時における作業性が悪化すると共に、このシュー生地を焼成して得られるシュー皮の風味が著しく損なわれる。
【００３４】
次に、本考案のシュー食品の実施形態について以下に説明する。本考案のシュー食品は、上記の各実施形態に係るシュー生地を成形及び焼成することによって得られたシュー皮に、ライス及び／又は惣菜類を挟んで成る。例えば、図１に示したシュー食品１０は、図２に示したように、シュー皮１２に、ライス１３と、惣菜類１４としてオムレツ１４ａ及びレタス１４ｂが挟まれて成る。
【００３５】
このように、本考案のシュー食品は、本考案に係るシュー皮でライス及び／又は惣菜類が挟まれて成るため、ライス及び／又は惣菜類、つまり上記実施形態のシュー食品１０におけるライス１３及び惣菜類１４（オムレツ１４ａ及びレタス１４ｂ）を、手に持って手軽に食することができる。特に、シュー食品１０は、ライス１３及び惣菜類１４を同時に食べることができるため、従来のように、おにぎりとおかずを別々に食べなければならないといった煩わしさもなく、片手で持って、手を汚すことなく食べることができる。
【００３６】
ここで、シュー食品１０に係るライス１３には、オムレツ１４ａの味と相性の良い味付けが施されることが好ましい。例えば、ライス１３にウスターソースやケチャップで味付けを施すことによって、更に美味なるシュー食品１０が得られる。
【００３７】
また、シュー食品１０に係るシュー皮１２には、本考案に係るシュー皮の実施形態のうち、コーンスターチ入りシュー生地、或いは寒天等配合コーンスターチ入りシュー生地を焼成して成るシュー皮を使用することが好ましい。これらのシュー生地から得られるシュー皮を使用することによって、オムレツ１４ａの柔らかい食感と、シュー皮１２の食感とを近似させることができるため、シュー食品１０を食する際に違和感が少なく、非常に食べ易くなる。
【００３８】
以上、本考案の実施形態に係るシュー食品１０について説明したが、本考案のシュー食品は、本実施形態に限定されるものではない。例えば、本考案のシュー食品に係る惣菜類としては、図に示したオムレツ等の他、肉類として焼肉、コロッケ、ハンバーグ、ソーセージ、焼き鳥、焼き豚、煮物等、魚類として焼き魚、刺身、フライ、天ぷら等、野菜類として生野菜、煮物、漬け物類等が挙げられる。即ち、本考案のシュー食品に係る惣菜類は特に限定されず、例示した惣菜類等を１種又は２種以上を組み合わせて、本考案のシュー食品に使用することができる。
【００３９】
また、図に示したシュー食品１０では、惣菜類１４と共にライス１３が挟まれているため、ライス及び惣菜類を同時に食べることができる点で特に好ましいが、本考案のシュー食品はライス及び惣菜類を一緒に挟んだ実施形態に限定されず、ライスのみ、或いは惣菜類のみをシュー皮で挟んだシュー食品であっても良い。
【００４０】
更に、シュー食品１０では、ライス１３にオムレツ１４ａ（惣菜類１４）の味と相性の良い味付け、即ちウスターソースやケチャップによる味付けが施されているため、更に美味なるシュー食品１０が得られる。このような味付けの他の実施形態としては、例えば惣菜類として牛ステーキを挟む場合にはステーキソース、エビフライにはタルタルソース、トンカツにはトンカツソース、ハンバーグにはデミグラスソース等が挙げられる。このように、惣菜類と共に挟まれるライス、或いは惣菜類のみを挟んだシュー食品と一緒に食べられるライスのみを挟んだシュー食品に係るライスに、これらの惣菜類を通常食べる際に使用されるソースによって味付けを施すことによって、ライスと惣菜類の相性が非常に良くなり、より美味なるシュー食品が得られる。また更に、中華風の惣菜類を挟んで成るシュー食品の場合には、ライスとしてチャーハンを挟むことによって、惣菜類との相性は更に良くなる。
【００４１】
また、シュー食品１０では、惣菜類１４が柔らかい食感のオムレツ１４ａであるため、コーンスターチ入りシュー生地及び寒天等配合コーンスターチ入りシュー生地を、成形及び焼成して得られるシュー皮が好適に使用され得るが、他の惣菜類を挟んで成るシュー食品の場合には、惣菜類の食感に合わせて、上記の各実施形態に係るシュー生地から任意に選択して得られるシュー皮が使用され得る。例えば、肉類のような比較的堅い食感の惣菜類を挟む場合には、強力粉入りシュー生地又は寒天等配合強力粉入りシュー生地を焼成して得られるシュー皮が好適に使用され得る。また、堅くも柔らかくもない食感の惣菜類、例えば、魚類のフライ等を挟む場合には、基本シュー生地、或いは寒天等配合基本シュー生地から得られるシュー皮が好適に使用され得る。更に、各実施形態に係るシュー皮のうちから、寒天等が配合されたシュー生地を焼成して得られるシュー皮を選択するか否かは、ライスや惣菜類に含まれる水分量、惣菜類から出る汁気や油分の量、ライス等の味付けに使用されるソース量等が考慮される。
【００４２】
以上、本考案のシュー食品及び本考案に係るシュー皮の種々の実施形態について説明したが、本考案はその趣旨を逸脱しない範囲で、当業者の知識に基づき種々の改良、修正、変形を加えた態様で実施し得るものである。
【００４３】
例えば、本考案に係るシュー生地には、塩、グラニュー糖等の調味料が必要に応じて添加されてもよく、また、使用される水の一部を牛乳で置換しても良い。
【００４４】
以下に、本考案のシュー食品の実施例を示して、本考案の実施形態をより詳述するが、本考案はこれらの実施例に限定されるものではない。
【実施例１】
【００４５】
薄力粉：３００重量部、卵：６９０重量部、水：４５０重量部、バター：１５０重量部、サラダ油：１５０重量部を、通常のシュー生地の製造方法により配合することによって、基本シュー生地が得られた。具体的には、鍋に水、バター、サラダ油を入れて火にかけ、バターが溶けたら一旦火から下ろし、薄力粉を入れて混練する。再び加熱しながら混練した後、火から下ろして卵を少量ずつ加えながら混練する。
【００４６】
このようにして得られた基本シュー生地を天板上に搾って霧吹きをし、約２００℃のオーブンで焼成することによって、本考案に係るシュー皮１が得られた。このシュー皮１に、エビフライ及びタルタルソースで味付けされたライスを挟むことによって、本考案のシュー食品１が得られた。
【００４７】
本考案のシュー食品１は、エビフライ及びライスを同時に、しかも片手で持って手軽に食べることができた。また、エビフライとシュー皮１の食感も近似しており、違和感なく食べられる共に、エビフライとライスの味の相性も良く、非常に美味なるシュー食品１が得られた。更に、時間の経過に伴うシュー皮１の食感の変化も殆ど無かった。
【実施例２】
【００４８】
薄力粉：２５０重量部、コーンスターチ：５０重量部、卵：６９０重量部、水：４５０重量部、バター：１５０重量部、サラダ油：１５０重量部を、実施例１と同様の製造方法により配合することによって、コーンスターチ入りシュー生地が得られた。ここで、コーンスターチを配合する時期としては、水、バター、サラダ油を熱した中に薄力粉を入れる際、薄力粉と同時に配合することが好ましい。
【００４９】
このようにして得られたコーンスターチ入りシュー生地を、実施例１と同様の方法で成形及び焼成することによって、本考案に係るシュー皮２が得られ、このシュー皮２に、オムレツ及びウスターソースで味付けされたライスを挟むことによって、本考案のシュー食品１０（図１参照）が得られた。
【００５０】
本考案のシュー食品１０は、オムレツ及びライスを同時に、しかも片手で持って手軽に食べることができた。また、オムレツとシュー皮２の食感も近似しており、違和感なく食べられる共に、オムレツとライスの味の相性も良く、非常に美味なるシュー食品１０が得られた。更に、時間の経過に伴うシュー皮２の食感の変化も殆ど無かった。
【実施例３】
【００５１】
薄力粉：２５０重量部、強力粉：５０重量部、卵：６９０重量部、水：４５０重量部、バター：１５０重量部、サラダ油：１５０重量部を、実施例１と同様の製造方法により配合することによって、強力粉入りシュー生地が得られた。ここで、強力粉を配合する時期としては、水、バター、サラダ油を熱した中に薄力粉を入れる際、薄力粉と同時に配合することが好ましい。
【００５２】
このようにして得られた強力粉入りシュー生地を、実施例１と同様の方法で成形及び焼成することによって、本考案に係るシュー皮３が得られ、このシュー皮３に、牛ステーキ及びステーキソースで味付けされたライスを挟むことによって、本考案のシュー食品３が得られた。
【００５３】
本考案のシュー食品３は、牛ステーキ及びライスを同時に、しかも片手で持って手軽に食べることができた。また、牛ステーキとシュー皮３の食感も近似しており、違和感なく食べられる共に、牛ステーキとライスの味の相性も良く、非常に美味なるシュー食品３が得られた。更に、時間の経過に伴うシュー皮３の食感の変化も殆ど無かった。
【実施例４】
【００５４】
実施例３と同種・同量の原料、及び寒天（粉末寒天）：５重量部を、実施例１と同様の製造方法により配合することによって、寒天配合強力粉入りシュー生地が得られた。ここで、寒天を配合する時期としては、水、バター、サラダ油を熱した中に薄力粉を入れる際、薄力粉と同時に配合することが好ましい。
【００５５】
このようにして得られた寒天配合強力粉入りシュー生地を、実施例１と同様の方法で成形及び焼成することによって、本考案に係るシュー皮４が得られ、このシュー皮４に、ハンバーグ及びデミグラスソースで味付けされたライスを挟むことによって、本考案のシュー食品４が得られた。
【００５６】
本考案のシュー食品４は、ハンバーグ及びライスを同時に、しかも片手で持って手軽に食べることができた。また、ハンバーグとシュー皮４の食感も近似しており、違和感なく食べられる共に、ハンバーグとライスの味の相性も良く、非常に美味なるシュー食品４が得られた。更に、時間の経過に伴うシュー皮４の食感の変化も殆ど無かった。
【００５７】
また、実施例３に係るシュー皮３に、ハンバーグ及びライスを挟んで得られたシュー食品５と、上記シュー食品４とを比較すると、シュー食品４に係るシュー皮４の食感の変化が更に抑えられることが確認できた。
【図面の簡単な説明】
【００５８】
【図１】本考案のシュー食品の一態様を示す斜視図である。
【図２】図１に示したシュー食品の分解斜視図である。
【符号の説明】
【００５９】
１０：シュー食品
１２：シュー皮
１３：ライス
１４：惣菜類